(57)【要約】【課題】廃棄物の管理にかかる作業者の負担が軽減される建築物の廃棄物管理方法および廃棄物管理ラベルを提供する。【解決手段】建築物の廃棄物管理方法は建築物に関する物件情報を表示した物件ラベル、および、廃棄物に関する廃棄物情報を表示した複数種類の廃棄物ラベルを製造する第１工程と、建築物の施工現場において分類毎に個別の容器に収容された廃棄物に対応する廃棄物ラベルと物件ラベルとを合体することにより廃棄物管理ラベルを製造する第２工程とを含む。【選択図】図２
2019020858.tif 000002
【特許請求の範囲】
【請求項１】
建築物に関する物件情報を表示した物件ラベル、および、廃棄物に関する廃棄物情報を表示した複数種類の廃棄物ラベルを製造する第１工程と、
前記建築物の施工現場において分類毎に個別の容器に収容された廃棄物に対応する前記廃棄物ラベルと前記物件ラベルとを合体することにより廃棄物管理ラベルを製造する第２工程とを含む
建築物の廃棄物管理方法。
【請求項２】
前記第１工程では、前記廃棄物管理方法の実施に利用される情報を含むデータベースから取得した情報を用いて前記物件ラベルおよび前記廃棄物ラベルを製造する
請求項１に記載の建築物の廃棄物管理方法。
【請求項３】
前記容器が運搬されたリサイクル施設において前記廃棄物をさらに詳細な分類に従って分類し、前記廃棄物が取り出された空の前記容器および前記廃棄物管理ラベルを処分する第３工程をさらに含む
請求項１または２に記載の建築物の廃棄物管理方法。
【請求項４】
前記第１工程では、前記物件情報を２次元コードにより表示した前記物件ラベル、および、前記廃棄物情報を２次元コードにより表示した前記廃棄物ラベルを製造する
請求項１〜３のいずれか一項に記載の建築物の廃棄物管理方法。
【請求項５】
建築物に関する物件情報を表示した物件ラベルと、廃棄物に関する廃棄物情報を表示した複数種類の廃棄物ラベルとを含み、個別に構成された前記物件ラベルと前記廃棄物ラベルとを合体することにより構成される
建築物の廃棄物管理ラベル。
【請求項６】
前記物件ラベルは前記廃棄物ラベルを取り付けるためのラベル取付部を含む
請求項５に記載の建築物の廃棄物管理ラベル。
【請求項７】
前記物件ラベルは前記物件情報を含む２次元コードを表示している
請求項５または６に記載の建築物の廃棄物管理ラベル。
【請求項８】
前記廃棄物ラベルは前記廃棄物情報を含む２次元コードを表示している
請求項５〜７のいずれか一項に記載の建築物の廃棄物管理ラベル。
【発明の詳細な説明】
【技術分野】
【０００１】
本発明は建築物の施工現場で生じる廃棄物を管理するための建築物の廃棄物管理方法、および、これに用いる廃棄物管理ラベルに関する。
【背景技術】
【０００２】
建築物の施工現場で生じた廃棄物をリサイクルするため、廃棄物管理方法に従って廃棄物の回収、運搬、および、再利用の各工程が実施されている。一般には、廃棄物の適切な管理のため、施工現場で生じた廃棄物が所定の分類毎に容器に収容され、容器内の廃棄物に関する情報を表示するＩＣタグが容器に取り付けられる。廃棄物を収容した容器は資源回収業者により回収され、リサイクル施設に運搬される。なお、特許文献１は従来の廃棄物管理方法の一例を開示している。
【先行技術文献】
【特許文献】
【０００３】
【特許文献１】特許第３７４３９８３号公報
【発明の概要】
【発明が解決しようとする課題】
【０００４】
従来の廃棄物管理方法では、ＩＣタグを再利用するため、リサイクル施設でＩＣタグを回収する作業、および、そのＩＣタグの情報を初期化する作業等が必要である。このような作業が削減できれば、作業者の負担が軽減される。
【課題を解決するための手段】
【０００５】
(１)本発明に関する建築物の廃棄物管理方法は建築物に関する物件情報を表示した物件ラベル、および、廃棄物に関する廃棄物情報を表示した複数種類の廃棄物ラベルを製造する第１工程と、前記建築物の施工現場において分類毎に個別の容器に収容された廃棄物に対応する前記廃棄物ラベルと前記物件ラベルとを合体することにより廃棄物管理ラベルを製造する第２工程とを含む。
上記廃棄物管理方法によれば、廃棄物の管理が終了したときに不要なラベルを処分できる。このため、ＩＣタグを再利用する場合よりも作業者に求められる作業が少なくなり、作業者の負担が軽減される。また、物件ラベルと廃棄物ラベルとが個別に構成されるため、廃棄物ラベルを複数の施工現場における廃棄物の管理に利用できる。このため、コストの削減が期待できる。
【０００６】
(２)好ましい例では前記(１)に記載の建築物の廃棄物管理方法において、前記第１工程では、前記廃棄物管理方法の実施に利用される情報を含むデータベースから取得した情報を用いて前記物件ラベルおよび前記廃棄物ラベルを製造する。
このため、各ラベルの製造時に個別に物件情報および廃棄物情報を登録する必要がなく、各ラベルの製造にかかる負担が軽減される。
【０００７】
(３)好ましい例では前記(１)または(２)に記載の建築物の廃棄物管理方法において、前記容器が運搬されたリサイクル施設において前記廃棄物をさらに詳細な分類に従って分類し、前記廃棄物が取り出された空の前記容器および前記廃棄物管理ラベルを処分する第３工程をさらに含む。
【０００８】
このため、廃棄物を幅広く再利用できる。また、不要な廃棄物管理ラベルが処分されるため、ＩＣタグを再利用する場合に比べて作業者の負担が軽減される。
(４)好ましい例では前記(１)〜(３)のいずれかに記載の建築物の廃棄物管理方法において、前記第１工程では、前記物件情報を２次元コードにより表示した前記物件ラベル、および、前記廃棄物情報を２次元コードにより表示した前記廃棄物ラベルを製造する。
上記廃棄物管理方法によれば、２次元コードに多数の情報を登録できるため、各ラベルのサイズを小さくできる。
【０００９】
(５)本発明に関する建築物の廃棄物管理ラベルは建築物に関する物件情報を表示した物件ラベルと、廃棄物に関する廃棄物情報を表示した複数種類の廃棄物ラベルとを含み、個別に構成された前記物件ラベルと前記廃棄物ラベルとを合体することにより構成される。
上記廃棄物管理ラベルによれば、上記(１)に記載の廃棄物管理方法により得られる効果と同様または類似の効果が得られる。
【００１０】
(６)好ましい例では前記(５)に記載の建築物の廃棄物管理ラベルにおいて、前記物件ラベルは前記廃棄物ラベルを取り付けるためのラベル取付部を含む。
このため、廃棄物ラベルを物件ラベルに容易に合体できる。
【００１１】
(７)好ましい例では前記(５)または(６)に記載の建築物の廃棄物管理ラベルにおいて、前記物件ラベルは前記物件情報を含む２次元コードを表示している。
上記廃棄物管理ラベルによれば、上記(４)に記載の廃棄物管理方法により得られる効果と同様または類似の効果が得られる。
【００１２】
(８)好ましい例では前記(５)〜(７)のいずれかに記載の建築物の廃棄物管理ラベルにおいて、前記廃棄物ラベルは前記廃棄物情報を含む２次元コードを表示している。
上記廃棄物管理ラベルによれば、上記(４)に記載の廃棄物管理方法により得られる効果と同様または類似の効果が得られる。
【発明の効果】
【００１３】
本発明に関する建築物の廃棄物管理方法および廃棄物管理ラベルによれば、廃棄物の管理にかかる作業者の負担が軽減される。
【図面の簡単な説明】
【００１４】
【図１】実施形態の建築物の廃棄物管理システムの全体像を示す図。
【図２】廃棄物管理方法の手順を示すフローチャート。
【図３】物件ラベルの一例の正面図。
【図４】ラベルシートの一例の正面図。
【図５】容器に取り付けられた物件ラベルの一例の正面図。
【図６】容器に取り付けられた物件ラベルの一例の背面図。
【図７】容器に取り付けられた廃棄物管理ラベルの一例の正面図。
【図８】メモ欄の途中から下方の部分が破断した状態の物件ラベルの一例の背面図。
【発明を実施するための形態】
【００１５】
(実施形態)
図１に示される廃棄物管理システム１００は建築物の施工現場２００で生じた廃棄物Ｐ２の回収、運搬、および、再利用の一連の工程を統括的に管理するため、建築物の廃棄物管理方法に従って廃棄物Ｐ２を管理することを意図して構成されている。建築物の一例は一戸建および集合住宅である。この廃棄物管理方法では廃棄物Ｐ２の管理に関わる作業者の負荷を軽減するため、図７に示される廃棄物管理ラベル１０を用いて廃棄物Ｐ２を管理する。廃棄物管理ラベル１０は図３に示される物件ラベル２０と図４に示される廃棄物ラベル３０とが合体することにより製造される。物件ラベル２０は建築物に関する情報である物件情報を表示するラベルである。廃棄物ラベル３０は廃棄物Ｐ２に関する情報である廃棄物情報を表示するラベルである。一例では、予め用意された物件ラベル２０および廃棄物ラベル３０が施工現場２００で合体されることにより廃棄物管理ラベル１０が製造される。廃棄物管理ラベル１０を製造するための手順は任意に選択できる。第１例では、最初に物件ラベル２０が容器Ｐ１に取り付けられ、次にその物件ラベル２０に廃棄物ラベル３０が合体されることにより廃棄物管理ラベル１０が製造される。第２例では、最初に容器Ｐ１に取り付けられていない物件ラベル２０に廃棄物ラベル３０が取り付けられることにより廃棄物管理ラベル１０が製造され、次にその廃棄物管理ラベル１０が容器Ｐ１に取り付けられる。
【００１６】
廃棄物管理システム１００を構成する主要な要素は管理センター１１０、サーバー用のコンピューター１２０、資源回収車１３０、および、リサイクル施設１４０である。管理センター１１０は例えばオフィスビルに開設された事務所であり、１または複数のオペレーター１１１が廃棄物Ｐ２の管理に関する業務に従事している。管理センター１１０にはオペレーター１１１が利用する１または複数のコンピューター１１２および印刷装置１１３が設置されている。サーバー用のコンピューター１２０は主に廃棄物Ｐ２の管理に関するサービスを提供するためのサーバーである。サーバー用のコンピューター１２０の設置箇所は任意に選択される。その一例は管理センター１１０、および、レンタルサーバーを提供する事業者の事業所である。
【００１７】
サーバー用のコンピューター１２０は廃棄物管理方法の実施に利用されるデータベースを記憶している。データベースに含まれる情報の一例は、建築物の施工現場の名称、施工現場における工程とその工程で生じる予定の廃棄物とを関連付けた情報、および、廃棄物の分類を示す情報を含む。管理センター１１０に設置されたコンピューター１１２、および、サーバー用のコンピューター１２０はインターネット１５０にアクセスできるよう構成されている。資源回収車１３０は廃棄物Ｐ２を回収する事業者が保有する車両であり、主に施工現場２００からリサイクル施設１４０への廃棄物Ｐ２の運搬に用いられる。リサイクル施設１４０は廃棄物Ｐ２に関するリサイクルおよびリユースを実施するための設備である。
【００１８】
図２を参照して、廃棄物管理システム１００により実施される廃棄物管理方法の一例について説明する。この管理方法では工程Ａ〜工程Ｆの順に各工程が実施される。工程Ａは第１工程の一例である。工程Ａでは、管理センター１１０のオペレーター１１１がコンピューター１１２および印刷装置１１３を利用して物件ラベル２０および廃棄物ラベル３０を製造する。具体的には次のように各ラベル２０、３０の製造が実施される。オペレーター１１１は最初に、コンピューター１１２を利用してサーバー用のコンピューター１２０にアクセスし、サーバー用のコンピューター１２０のデータベースから物件ラベル２０および廃棄物ラベル３０の製造に必要な各種の情報を読み出す。このため、各ラベル２０、３０の製造時に個別に物件情報および廃棄物情報を登録する必要がなく、各ラベル２０、３０の製造にかかる負担が軽減される。オペレーター１１１は次に、コンピューター１１２にインストールされているソフトウェアを利用して、印刷装置１１３に物件ラベル２０および廃棄物ラベル３０を印刷させる。一例では、物件情報を含む２次元コードおよびその他の情報が物件ラベル２０に印刷され、廃棄物情報を含む２次元コードおよびその他の情報が廃棄物ラベル３０に印刷される。
【００１９】
２次元コードの種類は任意に選択できる。その一例はマトリックス式の２次元コードおよびスタック式の２次元コードである。マトリックス式の２次元コードの例はＱＲコード(登録商標)、マイクロＱＲコード、ＳＰコード、ベリコード、マキシコード、ＣＰコード、ＤａｔａＭａｔｒｉｘ、Ｃｏｄｅｌ、ＡｚｔｅｃＣｏｄｅ、インタクタコード、カードｅ、および、カメレオンコードである。スタック式の２次元コードの例はＰＤＦ４１７、Ｃｏｄｅ４９、Ｃｏｄｅ１６Ｋ、Ｃｏｄａｂｌｏｃｋ、ＳｕｐｅｒＣｏｄｅ、ＵｌｔｒａＣｏｄｅ、ＲＳＳＣｏｍｐｏｓｉｔｅ、および、ＡｚｔｅｃＭｅｓａである。図３〜図８では各２次元コードがＱＲコードの場合を例示している。
【００２０】
各ラベル２０、３０の印刷方法は任意に選択できる。一例では、物件ラベル２０は図３に示されるように１枚毎に印刷される。廃棄物ラベル３０は図４に示されるように、複数の廃棄物ラベル３０により構成される１枚のシート４０(以下「ラベルシート４０」)の状態で印刷される。ラベルシート４０は複数の廃棄物ラベル３０を台紙(図示略)から個別に剥がすことができるように構成されている。廃棄物ラベル３０は物件ラベル２０に貼り付け可能なシールである。工程Ａでは、施工現場２００毎に所定枚数の物件ラベル２０、および、所定枚数のラベルシート４０が印刷される。物件ラベル２０の所定枚数およびラベルシート４０の所定枚数はデータベースから取得した情報に含まれている。一例では、各所定枚数は過去に施工された建築物の種類とその建築物の施工により生じた廃棄物の分類毎の量との関係をまとめた統計情報を元に設定できる。好ましい例では、統計情報から得られた廃棄物の分類毎の量にマッチする枚数に対して、一定の余裕を持たせた枚数が所定枚数に設定される。
【００２１】
工程Ｂでは、施工現場２００で生じた廃棄物Ｐ２が施工現場２００に設置された保管場所２１０に保管される。具体的には次のように廃棄物Ｐ２の保管が実施される。作業者２０１は最初に、廃棄物Ｐ２を分類毎に個別の容器Ｐ１に収容し、廃棄物Ｐ２が漏れないように容器Ｐ１を閉じる。容器Ｐ１の一例は袋およびケースである。図１等では容器Ｐ１が袋である場合を例示している。通常の施工現場２００ではこの作業により、廃棄物Ｐ２を分類毎に収容した複数の容器Ｐ１が製造される。一例では廃棄物Ｐ２の分類は分類品目表に規定されている。分類品目表では廃棄物Ｐ２を所定数の品目に分類し、個々の品目に１から始まる分類番号を順に付与している。所定数は例えば２７である。
【００２２】
作業者２０１は次に、容器Ｐ１に連結部材５０を巻き付けて固定し、その連結部材５０から落ちないように物件ラベル２０（図３参照）を連結部材５０に掛ける。連結部材５０の一例は紐、ロープ、針金、ワイヤー、および、結束バンドである。この作業は複数の容器Ｐ１のそれぞれに対して実施される。作業者２０１は次に、容器Ｐ１に収容されている廃棄物Ｐ２の分類に対応するラベルシート４０（図４参照）から廃棄物ラベル３０を剥がし、容器Ｐ１に取り付けられている物件ラベル２０にその廃棄物ラベル３０を合体することにより廃棄物管理ラベル１０を製造する。この作業も複数の容器Ｐ１のそれぞれに対して実施される。工程Ｂの廃棄物管理ラベル１０を製造する工程は第２工程の一例である。作業者２０１は次に、施工現場２００の保管場所２１０に容器Ｐ１を運搬する。工程Ｂに関する上記各作業が完了することにより、施工現場２００の保管場所２１０に容器Ｐ１が保管された状態が形成される。作業者２０１は次に、携帯情報端末(図示略)を利用して資源回収事業者に所属する作業者１３１に容器Ｐ１の回収を依頼する。携帯情報端末の一例はスマートフォンおよびタブレット端末である。
【００２３】
工程Ｃでは、依頼を受けた作業者１３１が資源回収車１３０で施工現場２００に移動し、施工現場２００で容器Ｐ１に関する各種の作業を実施する。具体的には次のように各種の作業が実施される。作業者１３１は最初に、施工現場２００の保管場所２１０に保管されている容器Ｐ１について廃棄物Ｐ２の分類毎の個数を確認し、携帯情報端末１３２に登録する。携帯情報端末１３２の一例はスマートフォンおよびタブレット端末である。作業者１３１は次に、携帯情報端末１３２を利用して管理センター１１０のコンピューター１１２およびサーバー用のコンピューター１２０に先の作業で登録した情報を送信する。作業者１３１は次に、保管場所２１０に保管されている容器Ｐ１を資源回収車１３０の荷台に載せる。
【００２４】
工程Ｄでは、作業者１３１が資源回収車１３０を利用して施工現場２００からリサイクル施設１４０に容器Ｐ１を運搬する。資源回収車１３０の移動経路は任意に選択できる。第１例では、資源回収車１３０は１箇所の施工現場２００で回収した容器Ｐ１をリサイクル施設１４０に運搬する。第２例では、資源回収車１３０は予め指定された複数の施工現場２００を順に移動し、それぞれの施工現場２００で回収した容器Ｐ１をまとめてリサイクル施設１４０に運搬する。
【００２５】
工程Ｅでは、運搬された容器Ｐ１内の廃棄物Ｐ２がリサイクル施設１４０で処理される。具体的には次のように廃棄物Ｐ２の処理が実施される。資源回収事業者の作業者１３１はリサイクル施設１４０の作業者１４１に容器Ｐ１を引き渡す。リサイクル施設１４０の作業者１４１は測定装置１４２を利用して容器Ｐ１毎に容器Ｐ１を含む廃棄物Ｐ２の重量、および、廃棄物Ｐ２の分類を測定する。測定装置１４２は重量を測定する機能、および、２次元コードを読み取る機能を備えている。測定装置１４２が容器Ｐ１に取り付けられた廃棄物管理ラベル１０の廃棄物ラベル３０の２次元コードを読み取ることにより、その容器Ｐ１内の廃棄物Ｐ２の分類が測定される。作業者１４１は次に、測定装置１４２を利用して測定結果を管理センター１１０のコンピューター１１２およびサーバー用のコンピューター１２０に送信する。
【００２６】
工程Ｆは第３工程の一例である。工程Ｆでは、測定後の容器Ｐ１内の廃棄物Ｐ２が再利用される。具体的には次のように再利用のための処理が実施される。作業者１４１は最初に、容器Ｐ１をより詳細な分類に従って分類し、分類毎に用意されたかご１４３に容器Ｐ１を入れる。作業者１４１は次に、かご１４３を再利用設備(図示略)に運搬し、容器Ｐ１から廃棄物Ｐ２を取り出し、廃棄物Ｐ２を再利用設備にかける。作業者１４１は次に、廃棄物Ｐ２が取り出された空の容器Ｐ１、および、これに取り付けられている廃棄物管理ラベル１０を処分する。このため、廃棄物Ｐ２を幅広く再利用できる。また、不要な廃棄物管理ラベル１０が処分されるため、ＩＣタグを再利用する場合に比べて作業者の負担が軽減される。
【００２７】
図３〜図７を参照して、物件ラベル２０、廃棄物ラベル３０、および、廃棄物管理ラベル１０の具体的な構成の一例について説明する。物件ラベル２０および廃棄物ラベル３０を構成する材料は任意かつ個別に選択できる。好ましい例では、各ラベル２０、３０は耐候性に優れた材料により構成される。
【００２８】
図３に示されるように、一例では物件ラベル２０は長方形である。物件ラベル２０には、各種の情報を表示する表示部２０Ａ、物件ラベル２０の幅方向に沿う折り曲げ線２０Ｂ、および、物件ラベル２０に連結部材５０を通すための穴２０Ｄ(図５参照)を形成できるように物件ラベル２０の一部をカットしたタブ２０Ｃが設けられている。物件ラベル２０は折り曲げ線２０Ｂを境界に正面部２０Ｆおよび背面部２０Ｒに区分される。タブ２０Ｃは正面部２０Ｆおよび背面部２０Ｒのそれぞれに形成されている。タブ２０Ｃの形状は任意に選択可能である。一例では、タブ２０Ｃの形状はＵ字である。
【００２９】
物件ラベル２０が容器Ｐ１に取り付けられる場合、折り曲げ線２０Ｂに沿って物件ラベル２０が折り曲げられる。物件ラベル２０が折り曲げられた状態では、図５に示される正面部２０Ｆと図６に示される背面部２０Ｒとが背中合わせの状態となる。正面部２０Ｆは物件ラベル２０が容器Ｐ１に取り付けられた場合に容器Ｐ１に面する場所から視認できるように配置される。背面部２０Ｒは物件ラベル２０が容器Ｐ１に取り付けられた場合に容器Ｐ１と対向するように配置される。
【００３０】
図３に示されるように、正面部２０Ｆの表示部２０Ａには第１表示部２１、第２表示部２２、ラベル取付部２３、および、メモ欄２４が形成されている。タブ２０Ｃは正面部２０Ｆのうちの折り曲げ線２０Ｂとメモ欄２４との間の部分に形成されている。正面部２０Ｆの表示部２０Ａにはさらに複数の境界線Ｌ１〜Ｌ４が表示されている。第１境界線Ｌ１はメモ欄２４とタブ２０Ｃが設けられる部分との境界を表示している。第２境界線Ｌ２はメモ欄２４と第１表示部２１との境界を示している。第３境界線Ｌ３は第１表示部２１とラベル取付部２３との境界を示している。第４境界線L４はラベル取付部２３と第２表示部２２との境界を表示している。
【００３１】
第１表示部２１には物件情報を含む第１ＱＲコード２１Ａが表示されている。第２表示部２２には文字の物件情報２２Ａが表示されている。ラベル取付部２３には、物件情報を含む第２ＱＲコード２３Ａ、および、文字の案内情報２３Ｂが表示されている。第１ＱＲコード２１Ａおよび第２ＱＲコード２３Ａは結合コード２７を構成している。携帯情報端末により第１ＱＲコード２１Ａおよび第２ＱＲコード２３Ａを同時に読み取ることにより、結合コード２７に含まれる物件情報を取得できる。文字の物件情報２２Ａの内容は結合コード２７に含まれる物件情報の内容と実質的に同じである。作業者２０１等は文字の物件情報を視認することにより、物件情報を必要に応じてすぐに確認できる。メモ欄２４は作業者２０１等が任意の情報を記入するための空欄である。２次元コードに多数の情報を登録できるため、物件ラベル２０のサイズを小さくできる。
【００３２】
背面部２０Ｒの表示部２０Ａには第５表示部２５および第６表示部２６が形成されている。タブ２０Ｃは背面部２０Ｒのうちの折り曲げ線２０Ｂと第５表示部２５との間の部分に形成されている。第５表示部２５には文字の物件情報２５Ａが表示されている。文字の物件情報２５Ａの内容は第２表示部２２の文字の物件情報２２Ａの内容と同じである。第６表示部２６には物件情報を含む第３ＱＲコード２６Ａが表示されている。第３ＱＲコード２６Ａに含まれる物件情報の内容は第１表示部２１の第１ＱＲコード２１Ａに含まれる物件情報等の内容と同じである。
【００３３】
容器Ｐ１に取り付けられた物件ラベル２０に何かの理由で強い力が加えられた場合、例えば図８に示されるように、正面部２０Ｆのメモ欄２４の途中で正面部２０Ｆが破断し、メモ欄２４の途中から下方の部分が物件ラベル２０からなくなることがある。この場合、正面部２０Ｆには物件情報を表示する部分が残されていないが、背面部２０Ｒに文字の物件情報２５Ａおよび第３ＱＲコード２６Ａが表示されている。このため、上記のような不慮の事態が生じた場合でも作業者２０１等は物件情報を確認できる。
【００３４】
図４に示されるように、ラベルシート４０は整列した複数の廃棄物ラベル３０を含む。一例では、ラベルシート４０および各廃棄物ラベル３０の形状は長方形である。好ましい例では、廃棄物ラベル３０の面積は物件ラベル２０のラベル取付部２３の面積とおおよそ同じである。廃棄物ラベル３０には第４ＱＲコード３１、分類番号情報３２、分類品目情報３３、および、工程情報３４が表示されている。第４ＱＲコード３１は廃棄物情報を含む。分類番号情報３２は分類品目表の分類番号のいずれか１つを表示している。分類品目情報３３はその番号に対応する品目を表示している。工程情報３４は施工現場２００で実施される工程を表示している。
【００３５】
廃棄物管理ラベル１０は例えば次の手順で製造される。最初に、図５および図６に示されるように物件ラベル２０の正面部２０Ｆおよび背面部２０Ｒのそれぞれのタブ２０Ｃが物件ラベル２０の裏面側に立ち上げられることにより正面部２０Ｆおよび背面部２０Ｒのそれぞれに穴２０Ｄが形成される。次に、正面部２０Ｆの裏面と背面部２０Ｒの裏面とが対向するように物件ラベル２０が折り曲げ線２０Ｂに沿って折られる。物件ラベル２０がこのように折られた状態では、正面部２０Ｆおよび背面部２０Ｒのそれぞれの穴２０Ｄが重なる。次に、容器Ｐ１に巻き付けられた連結部材５０が穴２０Ｄに通され、物件ラベル２０が連結部材５０にかけられる。次に、廃棄物Ｐ２の分類毎に用意された複数種類のラベルシート４０のうち、容器Ｐ１内に収容されている廃棄物Ｐ２に対応したラベルシート４０から１枚の廃棄物ラベル３０が剥がされ、その廃棄物ラベル３０が物件ラベル２０のラベル取付部２３に貼り付けられる。この作業の実施により廃棄物管理ラベル１０が製造される。
【００３６】
建築物の廃棄物管理方法および廃棄物管理ラベル１０によれば、次のような作用および効果が得られる。廃棄物の管理が終了したときに不要なラベルを処分できる。このため、ＩＣタグを再利用する場合よりも作業者に求められる作業が少なくなり、作業者の負担が軽減される。また、物件ラベルと廃棄物ラベルとが個別に構成されるため、廃棄物ラベルを複数の施工現場における廃棄物の管理に利用できる。このため、コストの削減が期待できる。
【００３７】
(変形例)
上記実施形態は本発明に関する建築物の廃棄物管理方法および廃棄物管理ラベルが取り得る形態の例示であり、その形態を制限することを意図していない。本発明に関する建築物の廃棄物管理方法および廃棄物管理ラベルは実施形態に例示された形態とは異なる形態を取り得る。その一例は、実施形態の構成の一部を置換、変更、もしくは、省略した形態、または、実施形態に新たな構成を付加した形態である。以下に実施形態の変形例の一例を示す。
【００３８】
・廃棄物管理ラベル１０の構成は任意に選択できる。第１例では、廃棄物ラベル３０が物件ラベル２０に代わり容器Ｐ１に取り付けることができるように構成され、物件ラベル２０がその廃棄物ラベル３０に取り付けることができるように構成される。この廃棄物管理ラベル１０を製造する手順の一例は次のとおりである。第１手順では、最初に廃棄物ラベル３０が容器Ｐ１に取り付けられ、次にその廃棄物ラベル３０に物件ラベル２０が取り付けられることにより、廃棄物管理ラベル１０が製造される。第２例では、最初に容器Ｐ１に取り付けられていない廃棄物ラベル３０に物件ラベル２０が取り付けられることにより廃棄物管理ラベル１０が製造され、次にその廃棄物管理ラベル１０が容器Ｐ１に取り付けられる。
【００３９】
第２例では、廃棄物管理ラベル１０は物件ラベル２０、廃棄物ラベル３０、および、台紙ラベルにより構成される。台紙ラベルは物件ラベル２０に代わり容器Ｐ１に取り付けられ、物件ラベル２０および廃棄物ラベル３０が取り付けられるラベルである。この廃棄物管理ラベル１０を製造する手順の一例は次のとおりである。第１手順では、最初に台紙ラベルが容器Ｐ１に取り付けられ、次にその台紙ラベルに物件ラベル２０および廃棄物ラベル３０が取り付けられることにより、廃棄物管理ラベル１０が製造される。第２手順では、最初に容器Ｐ１に取り付けられていない台紙ラベルに物件ラベル２０および廃棄物ラベル３０の一方が取り付けられ、次にその台紙ラベルが容器Ｐ１に取り付けられ、次にその台紙ラベルに物件ラベル２０および廃棄物ラベル３０の他方が取り付けられることにより、廃棄物管理ラベル１０が製造される。第３手順では、最初に容器Ｐ１に取り付けられていない台紙ラベルに物件ラベル２０および廃棄物ラベル３０の両方が取り付けられることにより廃棄物管理ラベル１０が製造され、次のその廃棄物管理ラベル１０が容器Ｐ１に取り付けられる。
【符号の説明】
【００４０】
１０：廃棄物管理ラベル
２０：物件ラベル
２３：ラベル取付部
３０：廃棄物ラベル
【図１】
2019020858.tif 000003
【図２】
2019020858.tif 000004
【図３】
2019020858.tif 000005
【図４】
2019020858.tif 000006
【図５】
2019020858.tif 000007
【図６】
2019020858.tif 000008
【図７】
2019020858.tif 000009
【図８】
2019020858.tif 000010